(57)【要約】      （修正有）【課題】  組立が容易であり、大型化にも面光源及び光学シートを支持して補強することができる液晶表示装置を提供する。【解決手段】  本発明は、液晶表示装置に関し、画像を形成する液晶表示パネル５と、前記液晶表示パネルの背面に備えられた光学シート１０と、前記光学シートに光を供給するように前記光学シートの背面に前記光学シートと離隔するように備えられた面光源２０と、前記光学シートと前記面光源と間に備えられて前記光学シート及び前記面光源を支持する支持台７とを含む。【選択図】      図２
2006039539.tif 000002
【特許請求の範囲】
【請求項１】
液晶表示装置において、
画像を形成する液晶表示パネルと、
前記液晶表示パネルの背面に備えられた光学シートと、
前記光学シートに光を供給するように、前記光学シートの背面に前記光学シートと離隔するように備えられた面光源と、
前記光学シートと前記面光源との間に備えられて、前記光学シート及び前記面光源を支持する支持台とを含むことを特徴とする液晶表示装置。
【請求項２】
前記面光源は、前記光学シートの背面に向かって複数の突出部が形成された上部基板と、前記突出部との間に放電空間を形成するように前記上部基板と結合された下部基板とを含むことを特徴とする請求項１に記載の液晶表示装置。
【請求項３】
前記支持台は、前記複数の突出部を収容するように形成された複数の収容部と、前記各突出部の間の前記上部基板と接触可能に、前記各収容部の間に備えられた面光源支持部とを含むことを特徴とする請求項２に記載の液晶表示装置。
【請求項４】
前記面光源支持部は、前記各突出部の間の前記上部基板に付着されて結合されることを特徴とする請求項３に記載の液晶表示装置。
【請求項５】
前記面光源は、相互離隔した複数のランプと、前記ランプの背面に備えられた基板とを含み、
前記支持台は、前記各ランプを収容するように形成された複数の収容部と、前記各ランプの間の前記基板に接触可能に、前記各収容部の間に備えられた面光源支持部とを含むことを特徴とする請求項１に記載の液晶表示装置。
【請求項６】
前記面光源支持部は、前記各突出部の間の前記基板に付着されて結合されることを特徴とする請求項５に記載の液晶表示装置。
【請求項７】
前記支持台は、面光源から放出された光を均一に分布させて、前記光学シートに伝達することを特徴とする請求項１乃至請求項６のうちいずれか一項に記載の液晶表示装置。
【発明の詳細な説明】
【技術分野】
【０００１】
本発明は液晶表示装置に関し、より詳しくは、面光源と光学シートとの間に支持台を備えることで構造を改善した液晶表示装置に関する。
【背景技術】
【０００２】
一般に、液晶表示装置は、画像を形成する液晶表示パネルと、液晶表示パネルの背面に備えられた光学シートと、液晶表示パネル及び光学シートに光を供給するバックライトユニットとを含む。
【０００３】
バックライトユニットは、光源が光学シートの背面に備えられて光を光学シート及び液晶表示パネルの方向に供給する直下方式と、光源が導光板の側面に備えられて光を光学シート及び液晶表示パネルの方向に供給するエッジ方式とに分類される。
【０００４】
以下では、光学シートの背面に備えられて、表示パネルの方向に光を供給する面光源を含む直下方式の液晶表示装置について説明する。
【０００５】
図１は従来の面光源を備えた液晶表示装置の断面図である。図１に示されているように、従来の液晶表示装置１０１は、液晶表示パネル１０５と、液晶表示パネル１０５の背面に備えられて、液晶表示パネル１０５に入射される光の集光効率を向上させる複数の光学シート１１０と、光学シート１１０の背面に光学シート１１０と離隔するように備えられて液晶表示パネル１０５に光を供給する面光源１２０と、液晶表示パネル１０５及び面光源１２０などを支持するために結合するモールドフレーム１０７とを含む。
【０００６】
面光源１２０は、光学シート１１０の背面から離隔し、相互に等間隔をなすように備えられた複数のランプ１２１と、ランプ１２１の背面に備えられた基板１２５とを含む。面光源１２０は光学シート１１０の背面に備えられて光を直接に光学シート１１０に供給するため、エッジ方式に比べて光効率を向上させることで高輝度を実現することができ、最近の大型化の傾向により、大型画像を形成する液晶表示装置に広く使用されている。
【０００７】
複数のランプ１２１は、相互離隔して基板１２５に配置され、光学シート１１０と拡散距離を確保するために離隔して配置される。
【０００８】
しかし、このような従来の液晶表示装置は面光源と光学シートとが相互離隔して配置されるため、組立の際に面光源と光学シートとの隔離距離を一定に維持することが容易でない。さらに、液晶表示装置が大型化するほど面光源及び光学シートの相対的な強度が弱くなって、面光源及び光学シートを安全に補強する必要性が求められる。
【発明の開示】
【発明が解決しようとする課題】
【０００９】
そこで、本発明の目的は、組立が容易であり、大型化にも面光源及び光学シートを支持して補強することができる、液晶表示装置を提供することにある。
【課題を解決するための手段】
【００１０】
前記目的は、本発明によって、液晶表示装置において、画像を形成する液晶表示パネルと、前記液晶表示パネルの背面に備えられた光学シートと、前記光学シートに光を供給するように、前記光学シートの背面に前記光学シートと離隔するように備えられた面光源と、前記光学シートと前記面光源との間に備えられて前記光学シート及び前記面光源を支持する支持台とを含むことを特徴とする液晶表示装置によって達成される。
【００１１】
ここで、前記面光源は、前記光学シートの背面に向かって複数の突出部が形成された上部基板と、前記突出部との間に放電空間を形成するように前記上部基板と結合された下部基板とを含むことができる。
【００１２】
前記支持台は、前記複数の突出部を収容するように形成された複数の収容部と、前記各突出部の間の前記上部基板に接触可能に、前記各収容部の間に備えられた面光源支持部とを含むことができる。
【００１３】
前記面光源支持部は、前記各突出部の間の前記上部基板に付着されて結合されることができる。
【００１４】
前記面光源は、相互離隔した複数のランプと、前記ランプの背面に備えられた基板とを含み、前記支持台は、前記各ランプを収容するように形成された複数の収容部と、前記各ランプの間の前記基板に接触可能に、前記各収容部の間に備えられた面光源支持部とを含むことができる。
【００１５】
前記面光源支持部は、前記各突出部の間の前記基板に付着されて結合されることができる。
【００１６】
前記支持台は、面光源から放出された光を均一に分布させて、前記光学シートに伝達することができる。
【００１７】
前記支持台は、ＰＭＭＡ（ポリメチルメタクリレート）系材質を含むことができる。
【００１８】
説明に先立って、種々の実施例において、同一の構成を有する構成要素については同一の符号を使用して代表的に第１実施例で説明し、その他の実施例では第１実施例と異なる構成についてのみ説明する。
【発明の効果】
【００１９】
本発明による液晶表示装置は、組み立てが容易であり面光源及び光学シートを支持して安全に補強することができる。また、支持台が面光源から放出された光を均一に分布させて、光学シートに伝達するように備えられるので、導光板の役割を果たすことができる。
【発明を実施するための最良の形態】
【００２０】
以下、添付図面を参照して、本発明について詳細に説明する。
【００２１】
[第１実施例]
図２及び図３に示されているように、本発明の第１実施例による液晶表示装置１は、画像を形成する液晶表示パネル５と、液晶表示パネル５の背面に備えられた光学シート１０と、光学シート１０の背面に光学シート１０と離隔するように備えられて液晶表示パネル５に光を供給する面光源２０と、液晶表示パネル５及び面光源２０の外側に備えられて液晶表示パネル５及び面光源２０を支持するフレーム７と、光学シート１０と面光源２０間に備えられて光学シート１０及び面光源２０を支持する支持台３０を含む。
【００２２】
液晶表示パネル５は一対の基板（図示せず）と、この一対の基板の間に備えられた液晶（図示せず）を含む。ここに、液晶表示パネル５は一対の基板の間に備えられた液晶に電圧を印加して分子配列を変化させ、面光源２０から供給される光を調整して画像を形成するようになる。
【００２３】
光学シート１０は、面光源２０から供給されて液晶表示パネル５に入射される光の集光効率を向上させるように、複数のシートで備えられる。つまり、光学シート１０は、面光源２０から供給された光を拡散して均一にする複数の拡散シート１１と、拡散シート１１によって拡散した光の進行経路を一定の角に切り替えるプリズムシート１３などを含んで液晶表示パネル５の輝度を均一にする。
【００２４】
フレーム７は、液晶表示パネル５、光学シート１０及び面光源２０の外側に備えられて、液晶表示パネル５及び面光源２０などを支持する。
【００２５】
面光源２０は、光学シート１０の背面と離隔するように備えられて、複数の突出部２２が相互離隔するように形成された上部基板２１と、突出部２２との間に放電空間２９を形成するように上部基板２１と結合された下部基板２５とを含む。面光源２０は、放電空間２９を形成する突出部２２の内壁面に塗布された蛍光体層２７と、放電空間２９に放電を起こすように備えられた電極２６とをさらに含む。
【００２６】
放電空間２９には水銀蒸気やアルゴンガスのような不活性気体が充填される。放電空間２９に充填された不活性気体は電極２６によって放電されて紫外線を発生させる。
【００２７】
蛍光体層２７は突出部２２の内壁面に備えられるのが好ましいが、下部基板２５の上側に備えられることもできる。蛍光体層２７は電極２６によって発生した紫外線を吸収して可視光線を発生させる。
【００２８】
電極２６は下部基板２５に備えられるのが好ましいが、上部基板２１に備えられることもできる。電極２６は電源の印加を受けて放電空間２９でプラズマ放電を起こし、このような放電によって発生した紫外線が蛍光体層２７を励起させ可視光を発生させることによって、光を放出する。
【００２９】
上部基板２１は放電空間２９に発生した光が光学シート１０に放出されるようにガラス材質で製作される。また、上部基板２１は放電空間２９に発生した光が光学シート１０に放出されるようにプラスチックなど多様な材質で備えられることができる。上部基板２１には、突出部２２の間に備えられて、後述する支持台３０の面光源支持部３３と接触する支持台接触部２３が備えられる。
【００３０】
突出部２２は上部基板２１に相互離隔するように、半楕円断面を有するように長く形成される。また、突出部２２は半円断面を有するように長く形成することができ、四角断面あるいは三角断面を有するように形成されることもできる。
【００３１】
支持台接触部２３は各突出部２２の間に備えられ、その下側は下部基板２５の上側と接触して結合され、その上側は支持台３０の面光源支持部３３と接触して結合される。支持台接触部２３の下側及び上側は、下部基板２５及び面光源支持部３３に接着剤で結合されることができ、両面テープやスクリューあるいはボルトなどによって結合されることもできる。
【００３２】
下部基板２５は上部基板２１と結合されて放電空間２９を形成するように、平らな板状のガラス材質で製作される。また、下部基板２５は平らな板状のプラスチックなど多様な材質で備えることができる。下部基板２５には放電空間２９で発生した光を光学シート１０の方向に反射するために、反射板（図示せず）を備えることもできる。
【００３３】
支持台３０は、複数の突出部２２を収容するように形成された複数の収容部３１と、各突出部２２の間の上部基板２１に接触可能に、各収容部３１の間に備えられた面光源支持部３３とを含む。支持台３０は面光源２０から放出された光を均一に分布させて、光学シート１０に伝達することができる。支持台３０はＰＭＭＡ系のような材質を使用して製作することによって、光の散乱性及び光の透過性に優れていて、導光板の役割を果たすこともできる。支持台３０の上側は光学シート１０に対応して接するように、平らに備えられることができる。支持台３０の上側は光学シート１０が面光源２０の方向に曲がることを防止するように、光学シート１０に接触して支持することができる。
【００３４】
収容部３１は突出部２２の形状に対応して突出部２２を収容することができるように備えられる。収容部３１は突出部２２と接触しないように離隔して備えられることができ、突出部２２と接触可能に備えられることもできる。収容部３１は突出部２２の形状に対応して半楕円断面形状で備えられることができ、突出部２２を収容することはできるが、突出部２２の形状とは異なって、製作を容易にするために半円型断面や四角断面などで備えられることもできる。
【００３５】
面光源支持部３３は各突出部２２の間の上部基板２１に付着されて結合されることができる。面光源支持部３３は各収容部３１の間に備えられて、支持台３０が面光源２０を支持できるように、上部基板２１の支持台接触部２３に接触可能に備えられる。面光源支持部３３は支持台接触部２３に接着剤などで結合されることができる。
【００３６】
このような構成によって、本発明の第１実施例による液晶表示装置１の組立過程を見てみると次の通りである。
【００３７】
まず、複数の突出部２２が形成された面光源２０と、突出部２２を収容するように収容部３１が形成された支持台３０とを備える。そして、支持台３０を面光源２０に配置する。この時、面光源２０の突出部２２が支持台３０の収容部３１に収容され、支持台３０の面光源支持部３３が面光源２０の支持台接触部２３に接触するように配置する。そして、面光源支持部３３と支持台接触部２３との間に接着剤を塗布して、面光源支持部３３と支持台接触部２３を付着することによって、支持台３０と面光源２０を結合する。そして、支持台３０の前方に複数の光学シート１０及び液晶表示パネル５を配置してフレーム７を結合する。
【００３８】
ここで、本発明の第１実施例による液晶表示装置１は、相互離隔した光学シート１０と面光源２０との間に、光学シート１０と面光源２０を支持する支持台３０を備えることによって、組立の際に面光源２０と光学シート１０との隔離距離を一定に維持するのが容易である。特に、液晶表示装置１が大型化して面光源２０及び光学シート１０の広さが厚さに比べて増加することによって、相対的に面光源２０及び光学シート１０の強度が弱くなっても、面光源２０及び光学シート１０を支持して安全に補強することができる。また、支持台３０が、面光源２０から放出された光を均一に分布させて光学シート１０に伝達するように備えられるので、導光板の役割を果たすことができる。
【００３９】
[第２実施例]
図４及び図５は、本発明の第２実施例による液晶表示装置の断面図及び分解斜視図である。この図面に示されているように第２実施例による液晶表示装置１aは、面光源４０が複数のランプ４１を含み、支持台３０aは各ランプ４１を収容するように形成された収容部３１aを含むことが第１実施例との相違点である。
【００４０】
面光源４０は、相互離隔した複数のランプ４１と、複数のランプ４１の背面に備えられた基板４５とを含む。ランプ４１は円形断面を有し、細くて長い形状を有する。基板４５は平らな板状で備えられて、ランプ４１から発生した光を光学シート１０の方向に反射するように反射板の役割を果たせる。
【００４１】
支持台３０aは、各ランプ４１を収容するように形成された複数の収容部３１aと、各ランプ４１の間の基板４５に接触可能に、各収容部３１aの間に備えられた面光源支持部３３aとを含む。支持台３０aは面光源４０から放出された光を均一に分布させて、光学シート１０に伝達することができる。つまり、支持台３０aはＰＭＭＡ系材質を含んで導光板のような役割を果たすことができる。
【００４２】
収容部３１aは各ランプ４１を収容するように支持台３０aの下部面に陥没して形成される。しかし、収容部３１aは近接した一対のランプ４１を収容することもでき、３つ以上の近接したランプ４１を収容するように陥没して形成されることもできる。
【００４３】
面光源支持部３３は各ランプ４１の間の基板４５に付着されて結合されることができる。面光源支持部３３は接着剤で基板４５と結合されるのが好ましいが、両面テープやスクリューなどで結合されることもできる。
【００４４】
このような構成によって、本発明の第２実施例による液晶表示装置は、相互離隔した光学シートと面光源との間に、光学シートと面光源を支持する支持台を備えることによって、組立の際に面光源と光学シートとの隔離距離を一定に維持するのが容易である。特に、液晶表示装置が大型化して面光源及び光学シートの広さが厚さに比べて増加することによって、相対的に面光源及び光学シートの強度が弱くなっても、面光源及び光学シートを支持して安全に補強することができる。また、支持台が面光源から放出された光を均一に分布させて、光学シートに伝達するように備えられるので、導光板の役割を果たすことができる。
【図面の簡単な説明】
【００４５】
【図１】従来の液晶表示装置の概略的な断面図である。
【図２】本発明の第１実施例による液晶表示装置の概略的な断面図である。
【図３】図２の液晶表示装置の部分分解斜視図である。
【図４】本発明の第２実施例による液晶表示装置の概略的な断面図である。
【図５】図４の液晶表示装置の部分分解斜視図である。
【符号の説明】
【００４６】
１    液晶表示装置
５    液晶表示パネル
７    フレーム
１０  光学シート
１１  拡散シート
１３  プリズムシート
２０、４０  面光源
２１  上部基板
２２  突出部
２３  支持台接触部
２５  下部基板
２６  電極
２９  放電空間
３０、３０a  支持台
３１、３１a  収容部
３３、３３a  面光源支持部
４１  ランプ
【図１】
2006039539.tif 000003
【図２】
2006039539.tif 000004
【図３】
2006039539.tif 000005
【図４】
2006039539.tif 000006
【図５】
2006039539.tif 000007